(57)【要約】【課題】複数画素群で階調を表現した場合に、画質および視野角の改善効果が劣化することを抑制するとともに、データ容量を小さくする画像圧縮方法、画像圧縮装置、および画像圧縮装置を備える表示装置を提供する。【解決手段】マトリクス状に配置された表示画素ＰＸに表示される画像を処理する画像処理装置ＩＰであって、複数の強度データから構成されているとともに、複数の強度データの配置割り付けが一定の規則に基づいている画像ソース１１０を生成する画像ソース生成手段１０１と、画像ソース１１０から、同じ強度割り当ての規則に基づいて強度が割り付けられた強度データ群毎にデータを分割する分割手段１０２と、分割手段１０２によって分割された画素データ群毎に符号化する符号化手段１０３と、を有する。【選択図】    図１
2008092140.tif 000002
【特許請求の範囲】
【請求項１】
マトリクス状に配置された表示画素に表示される画像を処理する画像処理装置であって、
複数の強度データから構成されているとともに、前記複数の強度データの配置割り付けが一定の規則に基づいている画像ソースを生成する画像ソース生成手段と、
前記画像ソースから、同じ強度割り当ての規則に基づいて強度が割り付けられた強度データ群毎にデータを分割する分割手段と、
前記分割手段によって分割された画素データ群毎に符号化する符号化手段と、を有する画像処理装置。
【請求項２】
前記画像ソース生成手段は、前記複数の表示画素の一部である表示画素群において、前記複数の強度データが前記複数の表示画素に表示される際の駆動形式、前記表示画素群の位置、および表示画素に表示される画像の色に従って、前記複数の強度データが予め設定された順序に並ぶように配列位置を割り付けるための割り付けテーブルを有している請求項１記載の画像処理装置。
【請求項３】
前記符号化手段によって符号化された各データと、強度割り付けを行うための割付テーブルとを、一括したデータとして管理する手段をさらに有する請求項１記載の画像処理装置。
【請求項４】
前記符号化手段により符号化されたデータを伸展する画像伸展手段と、
前記画像伸展手段により伸展した画像を、割付テーブルに基づき組み合わせるとともに、画像データを合成する画像データ伸展手段と、をさらに有する請求項１記載の画像処理装置。
【請求項５】
前記符号化手段は、ＪＰＥＧ方式により符号化する手段を有する請求項１記載の画像処理装置。
【請求項６】
マトリクス状に配置された表示画素に表示される画像を処理する画像処理方法であって、
複数の強度データから構成されているとともに、前記複数の強度データの配置割り付けが一定の規則に基づいている画像ソースを生成し、
前記画像ソースから、同じ強度割り当ての規則に基づいて強度が割り付けられた強度データ群毎にデータを分割し、
分割された画素データ群毎に符号化する画像処理方法。
【請求項７】
前記画像ソース生成手段は、割付テーブルに従って、前記複数の表示画素の一部である表示画素群において、前記複数の強度データが前記複数の表示画素に表示される際の駆動形式、前記表示画素群の位置、および表示画素に表示される画像の色に従って、前記複数の強度データが予め設定された順序に並ぶように配列位置を割り付ける請求項６記載の画像処理方法。
【請求項８】
符号化された各データと強度割り付けを行うための割付テーブルとを、一括したデータとして管理する請求項６記載の画像処理方法。
【請求項９】
符号化されたデータ毎に伸展し、
伸展されたデータを強度割り付けを行うための割付テーブルに基づき組み合わせて合成する請求項６記載の画像処理方法。
【請求項１０】
分割された後の同じ規則に基づいて強度が割り付けられた強度データ群毎に符号化する際に、ＪＰＥＧ方式により画像データ群を符号化する請求項６記載の画像処理方法。
【請求項１１】
マトリクス状に配置された表示画素に表示される画像を処理する画像処理装置であって、
複数の強度データから構成されているとともに、前記複数の強度データの配置割り付けが一定の規則に基づいている画像ソースを生成する画像ソース生成手段と、
前記画像ソースから、同じ強度割り当ての規則に基づいて強度が割り付けられた強度データ群毎にデータを分割する分割手段と、
前記分割手段によって分割された画素データ群毎に符号化する符号化手段と、を有する画像処理装置と、
前記画像処理装置から出力された画像データを表示する表示部を備えた表示パネルと、を有する表示装置。
【発明の詳細な説明】
【技術分野】
【０００１】
本発明は画像処理方法、画像処理装置、およびその画像処理装置を備えた表示装置に関する。
【背景技術】
【０００２】
近年携帯用等の表示装置として、液晶ディスプレイが普及している。さらに、高画質化が進み、高輝度、高コントラスト、広視角が要求される様になってきている。高コントラストを実現する液晶の表示モードとしてＶＡ（垂直配向）モード、ＩＰＳモード等が普及している。
【０００３】
従来、例えば携帯電話では、広視角よりも高コントラストの要求が高い。それは、携帯電話は一人で使う事が多く、表示画面の向きを使用者が自由に変えられるため、使用者自身が自由に良好な見栄えの向きに調整する事ができるからである。
【０００４】
しかし、昨今携帯電話はＴＶ受像等の機能を備えるものも普及している。携帯電話等を、例えばＴＶ視聴用途に使った場合、複数の人からディスプレイを見る等の場面が増える事が予想され、普通のＶＡモードのままでは、どうしても視角の広さが不足する場合があった。ＶＡモードで視角を広くする方法として、一画素を複数のドメインに分割して視角特性を改善する方法が提案されている。
【０００５】
この技術は、大型の液晶ＴＶなどでは採用できるが、携帯電話用の表示装置では、画素ピッチが非常に狭く、構造を作りこむ事が難しいために、この構成の画素を採用する事は非常に困難である。
【０００６】
そこで、複数の画素を組み合わせて階調を表現し、表示画面全体としては視角が広がった見栄えにする方法が提案されている。また高解像度の場合は２画素×２画素を１画素とみなし、特性を改善する方法も提案されている（特許文献１参照）。
【特許文献１】特開２００４−５２５４０２号公報
【発明の開示】
【発明が解決しようとする課題】
【０００７】
しかし、上記のように複数の画素を組み合せて階調を表現する場合には、その画像データのデータ容量が大きくなる場合がある。これは、特にカラー表示の際の画像データでは顕著である。これに対し、画像データ容量を小さくするために、画像データを圧縮することが行われている。
【０００８】
代表的なデータ圧縮方法としては、ＪＰＥＧ方式が知られている。ＪＰＥＧ方式は非可逆圧縮であって、大幅なデータ圧縮が可能である。このＪＰＥＧ方式は、例えば携帯電話等においても広くデータサイズ圧縮方法として実装されている。
【０００９】
ＪＰＥＧ方式等の圧縮方法では、フーリエ変換等で空間変調情報を分解して、重要な成分を残すという方法を採用している。ところが、上述のように複数画素群で階調を表現する場合には、その複数画素群内の明暗が画像の明暗とは別に存在するために、通常の画像に適用する場合と同じアルゴリズムを適用しても、この複数画素群で階調を表現した際の明暗を残したまま画像データの圧縮をする事が困難であった。その結果、圧縮することにより画像劣化が著しくなり、また視角の改善効果も同時に劣化してしまう場合があった。
【００１０】
本発明は上記の問題点に鑑みて成されたものであって、複数画素群で階調を表現した場合に、画質および視野角の改善効果が劣化することを抑制するとともに、データ容量を小さくする画像圧縮方法、画像圧縮装置、および画像圧縮装置を備える表示装置を提供することを目的とする。
【課題を解決するための手段】
【００１１】
本発明の態様による画像処理装置は、マトリクス状に配置された表示画素に表示される画像を処理する画像処理装置であって、複数の強度データから構成されているとともに、前記複数の強度データの配置割り付けが一定の規則に基づいている画像ソースを生成する画像ソース生成手段と、前記画像ソースから、同じ強度割り当ての規則に基づいて強度が割り付けられた強度データ群毎にデータを分割する分割手段と、前記分割手段によって分割された画素データ群毎に符号化する符号化手段と、を有する。
【００１２】
また、本発明の態様による画像処理方法は、マトリクス状に配置された表示画素に表示される画像を処理する画像処理方法であって、複数の強度データから構成されているとともに、前記複数の強度データの配置割り付けが一定の規則に基づいている画像ソースを生成し、前記画像ソースから、同じ強度割り当ての規則に基づいて強度が割り付けられた強度データ群毎にデータを分割し、分割された画素データ群毎に符号化する。
【００１３】
また、本発明の態様による表示装置は、マトリクス状に配置された表示画素に表示される画像を処理する画像処理装置であって、複数の強度データから構成されているとともに、前記複数の強度データの配置割り付けが一定の規則に基づいている画像ソースを生成する画像ソース生成手段と、前記画像ソースから、同じ強度割り当ての規則に基づいて強度が割り付けられた強度データ群毎にデータを分割する分割手段と、前記分割手段によって分割された画素データ群毎に符号化する符号化手段と、を有する画像処理装置と、前記画像処理装置から出力された画像データを表示する表示部を備えた表示パネルと、を有する。
【発明の効果】
【００１４】
本発明によれば、複数画素群で階調を表現した場合に、画質および視野角の改善効果が劣化することを抑制するとともに、データ容量を小さくする画像圧縮方法、画像圧縮装置、および画像圧縮装置を備える表示装置を提供することができる。
【発明を実施するための最良の形態】
【００１５】
以下に、本発明の一実施形態に係る画像処理方法、画像処理装置ＩＰ、およびその画像処理装置ＩＰを備えた表示装置１について図面を参照して説明する。
【００１６】
本実施形態に係る画像処理装置ＩＰを備えた表示装置は、例えば、図１に示す液晶表示装置１である。この液晶表示装置１は、例えば、垂直配向（ＶＡ）モードであって、画像を表示するための表示部１０Ａを備えた液晶表示パネル１０を有している。
【００１７】
表示部１０Ａは、マトリクス状に配置された複数の表示画素ＰＸによって構成されている。表示部１０Ａは、液晶表示装置１の走査線駆動回路ＳＤおよび信号線駆動回路ＤＤによって駆動される。
【００１８】
すなわち、走査線駆動回路ＳＤは、コントローラＣＴＲにより制御され、複数の表示画素ＰＸを行毎に選択する。信号線駆動回路ＤＤは、コントローラＣＴＲにより制御され、走査線駆動回路ＳＤにより選択された表示画素ＰＸに対応する画像信号を順次出力する。
【００１９】
本実施形態において、表示パネル１０の表示部１０Ａは、例えば、表示画素数は横４８０画素、縦６４０画素であって、１つの画素は表示する色毎の副画素から構成されている。画素ピッチは、例えば８２．５μｍであって、画素密度は２５．４ｍｍ／（０．０８２５）＝３０７．８ｐｐｉである。
【００２０】
画像処理装置ＩＰは、図１に示すように、画像ソースを生成する手段１０１と、生成された画像ソースから画素データを取り出す分割手段１０２と、取り出された複数の画素データを保存する第１メモリＭ１を有している。
【００２１】
画像ソースを生成する手段１０１は、外部信号源ＳＳから入力された画像データを複数画素群で階調を表現するように変換する画像変換部１０１Ａを有している。外部信号源ＳＳから入力された画像データのデータ形式は、例えば、階調値または、階調値と色差等である。画像変換部１０１Ａは、図２に示す階調―強度変換テーブルと、図５に示す多画素化変換テーブルＴ（Ｔ１、Ｔ２、Ｔ３、Ｔ４）とを有している。
【００２２】
すなわち、画像変換部１０１Ａでは、外部信号源ＳＳから入力された画像データを、階調―強度変換テーブルによって、階調値から強度値に変換するとともに、変換後の強度値を例えば、４画素（２画素×２画素）に対応する値の平均値を算出し、その平均値から多画素化変換テーブルＴによって４つの強度値に変換する。
【００２３】
なお、本実施形態において、表示強度値は、表示画面の輝度であって、より一般的には放射輝度を言うものである。
【００２４】
階調―強度変換テーブルによって、変換された強度値は、例えば、図３に示すようなマトリクス状のデータａ（ａ１，１〜ａ６４０，４８０）である。そうすると、この強度値の４画素（２画素×２画素）に対応する値の平均値は、例えば図４に示すマトリクス状のデータＡ（Ａ１，１〜Ａ３２０，２４０）となる。図４に示す場合では、４つの強度値ａ１，１、ａ１，２、ａ２，１、ａ２，２から平均値Ａ１，１を算出している。この平均値Ａ１，１は、多画素化変換テーブルＴ（Ｔ１、Ｔ２、Ｔ３、Ｔ４）によって４つの強度値に変換される。
【００２５】
分割手段１０２は、図６に示すような割付テーブルＴＢ有している。割付テーブルＴＢは、複数の表示画素ＰＸの一部である表示画素群において、複数の強度データが複数の表示画素ＰＸに表示される際の駆動形式、表示画素群の位置、および表示画素に表示される画像の色に従って、複数の強度データが予め設定された順序に並ぶように配列位置を割り付ける。
【００２６】
多画素化変換テーブルＴによって変換された４つの強度値は、図６に示す割付テーブルＴＢに従って、各表示画素ＰＸに割り付けられて画像ソース１１０が生成される。例えば、４画素（２画素×２画素）の位置を図６に示すＰ１〜Ｐ４とした場合に、表示される際の駆動形式が反転なしのときには、画素群の位置が奇数行の表示画素ＰＸの赤色（Ｒ）を表示する副画素において、Ｐ１にはテーブルＴ４、Ｐ２にはテーブルＴ２、Ｐ３にはテーブルＴ１、Ｐ４にはテーブルＴ３によって変換された強度値が割り付けられる。
【００２７】
分割手段１０２は、図７に示すように、同じ多画素化変換テーブルＴによって変換された強度値を取り出す。図７では、例えば、２画素×２画素からなる画素群から構成された６画素×６画素の画像ソース１１０を例として説明している。このとき、画像ソース１１０は、図７に示すように４つの画像に分割される。
【００２８】
すなわち、分割手段１０２は、画像ソース１１０を、多画素化変換テーブルＴ１によって変換された強度値のみ含むデータと、多画素化変換テーブルＴ２によって変換された強度値のみを含むデータと、多画素化変換テーブルＴ３によって変換された強度値のみを含むデータと、多画素化変換テーブルＴ４によって変換された強度値のみを含むデータと、に分割する。
【００２９】
したがって、分割手段１０２によって、上記のような画像ソース１１０の４分の１の画像データが４つ形成される。これら４つの４分の１画像データは、一時的に第１メモリＭ１に保存される。
【００３０】
画像処理装置ＩＰは、図１に示すように、さらに圧縮/復元手段１０３、ハードディスクドライブＨＤＤ、および第２メモリＭ２を有している。圧縮/復元手段１０３は、符号化手段としてのＪＰＥＧ圧縮手段１０３Ａと、画像伸展手段としてのＪＰＥＧ復元手段１０３Ｂとを有している。
【００３１】
ＪＰＥＧ圧縮手段１０３Ａは、第１メモリＭ１に保存された４つの４分の１画像データのそれぞれを、ＪＰＥＧ圧縮器（ＪＰＥＧコーダー）で圧縮し、４つの圧縮データと割付テーブルＴＢとを一括して束ねて圧縮データとしてハードディスクドライブＨＤＤに保存する。すなわち、４つの圧縮データと、割付テーブルＴＢとは一括したデータとして管理される。
【００３２】
上記の様に圧縮すると、第１メモリＭ１に保存された４分の１画像データは、同じテーブルＴによって変換された連続したデータであるため、ＪＰＥＧコーダーが有効に働く。
【００３３】
ＪＰＥＧ復元手段１０３Ｂは、ハードディスクドライブＨＤＤに保存された圧縮データを取り出し、この圧縮データから復元画像１２０を作成する。ＪＰＥＧ復元手段１０３Ｂは、保存されている圧縮データから４つの保存データを取り出しＪＰＥＧ復元器（ＪＰＥＧデコーダ）により４分の１の復元画像データを４つ形成する。
【００３４】
画像処理装置ＩＰは、図１に示すように、復元された画像を割り付ける画像データ伸展手段１０４を有している。画像データ伸展手段１０４は、ハードディスクドライブＨＤＤから割付テーブルＴＢおよび４分の１の復元画像データを取り出して、図８に示すように画像を組み合わせて復元画像１２０を作る。
【００３５】
上記の様に、複数の画素群の同じ強度割り当てを受けた画素同士を集めて画像を形成すれば、連続した画像の階調変化を反映した、連続した画像が得られるため、階調の変化と画像の視認性とが通常の画像と類似した特性となる。したがって、上記のように画像データを分割した後であれば、例えばＪＰＥＧ方式のように一般に使用される画像データ圧縮アルゴリズムで充分効果的に圧縮する事ができる。
【００３６】
すなわち、本実施形態に係る画像処理装置およびそれを備える表示装置によれば、画像劣化を抑制するとともに、視角が広い画像を効率良く格納できる手段を提供することができる。したがって、これを携帯電話等の装置に適用する事で、画素構造を変更することなく低コストの高画質表示が実現できる。
【００３７】
したがって、上記の実施形態に係る画像処理装置および表示装置によれば、複数画素群で階調を表現した場合に、画質および視野角の改善効果が劣化することを抑制するとともに、データ容量を小さくする画像圧縮装置、および画像圧縮装置を備える表示装置を提供することができる。
【００３８】
次に、画像処理装置ＩＰの動作について図９および図１０を参照して以下に説明する。
【００３９】
本実施形態に係る画像処理装置ＩＰは、コントローラＣＴＲによってその処理を制御される。すなわち、本実施形態では、コントローラＣＴＲは、シーケンサーとして画像処理装置ＩＰの処理を制御する。画像処理装置ＩＰに、例えば、解像度が水平４８０画素、垂直６４０画素の画像データが入力される（ＳＴ１）。
【００４０】
画像データは画像変換部１０１Ａに入力され、画像変換部１０１Ａで画像ソース１１０が生成される（ＳＴ１）。ここで生成された画像ソース１１０は、各表示画素ＰＸに対応するデータａｉ，ｊのそれぞれが、赤（Ｒ）、緑（Ｇ）、青（Ｂ）の３色の８ｂｉｔの階調データ（２５６階調）を備えている。
【００４１】
なお、以下の動作は、各色データについて実施されるが、説明が煩雑となるため、各色のデータについて同様の動作を行う場合には、一種類のデータについて説明して他のデータについての説明を省略する。
【００４２】
つづいて、分割手段１０２が、割付テーブルＴＢに従って画像データを取り出す（ＳＴ３）。画像ソース１１０のデータと、割付テーブルＴＢから圧縮データを作る。すなわち、画像ソース１１０から割付テーブルＴＢに基づき、４つの４分の１画像データを形成する。このとき、図７に示す様に、４分の１画像データのそれぞれは、同じ多画素化変換テーブルＴにより変換された強度値同士を上下左右の位置関係を変えずに集める事で形成される。分割手段１０２によって分割された４つの４分の１画像データは、第１メモリＭ１に一時的に保存される（ＳＴ４）。
【００４３】
第１メモリＭ１に保存された４つの４分の１画像データのそれぞれは、圧縮/復元手段１０３のＪＰＥＧ圧縮手段１０３Ａによって圧縮される（ＳＴ５）。
【００４４】
圧縮された画像データは、圧縮データとして割付テーブルＴＢとともにハードディスクドライブＨＤＤに保存される（ＳＴ６）。すなわち、コントローラＣＴＲは、圧縮後の４つの４分の１画像データと割付テーブルＴＢとを一括したデータとして管理する。
【００４５】
次に、画像処理装置ＩＰでの圧縮データを復元する動作について説明する。
【００４６】
最初に、ハードディスクドライブＨＤＤに保存された各保存データを、圧縮/復元手段１０３のＪＰＥＧ復元手段１０３Ｂによって復元する（ＳＴ７）。復元された４つの４分の１画像データは、順次、第２メモリＭ２に一時的に保存される（ＳＴ８）。
【００４７】
次に、コントローラＣＴＲは、第２メモリＭ２から４つの４分の１画像データのそれぞれを取り出し（ＳＴ９）、取り出された４分の１画像データのそれぞれから、割付テーブルＴＢに従って、復元画像１２０を生成する（ＳＴ１０）。
【００４８】
復元画像１２０は、画像処理装置ＩＰから出力され（ＳＴ１１）、液晶表示パネルの信号線駆動回路ＤＤに入力される。信号線駆動回路ＤＤでは、入力された復元画像１２０を強度値から階調値に変換し、コントローラＣＴＲの制御に従って所定のタイミングで表示部１０Ａに出力する。
【００４９】
なお、以上は、第１メモリＭ１に一時的に４つの画像データが保存される構造としているが、「４分の１画像データの取り出し→ＪＰＥＧ圧縮」を順次連続して処理する事で、４分の１画像データを一時的に第１メモリＭ１に保管するのではなく、直接保存用のメモリ（ＨＤＤ）に保存してゆく処理も考えられる。その場合には、第１メモリＭ１を物理的には持たない構造も可能である。
【００５０】
また、復元の際においても、第２メモリＭ２に一時的に４つの画像データを保存する構造としているが、ひとつひとつの保存データに対して、ＪＰＥＧ復元と復元したデータの復元画像１２０への組み込みを連続して処理し、それを４回繰り返す事で、第２メモリＭ２を物理的には持たない構造も可能である。
【００５１】
以下に、実際にＪＰＥＧ方式で変換した例について説明する。
【００５２】
原画像としては、図１１に示すように、画像処理技術標準化委員会監修の標準画像データから「果物かご」を水平３２０画素、垂直２４０画素のＲＧＢビットマップデータに変換し、それを２画素×２画素の画素群のデータに変換したものを画像ソース１１０（＝原画）とした。
【００５３】
図１１には、上記の画像ソース１１０を、上述した４つの４分の１画像データに分割してから、ＪＰＥＧ方式により圧縮および復元した場合の画像と、従来のように原画を直接ＪＰＥＧ方式によって圧縮および復元した場合の画像とを示した。このとき、それぞれの場合において、ＪＰＥＧ方式によって圧縮した後のデータサイズはほぼ同じになるように変換した。
【００５４】
図１１に示す場合では、原画から直接ＪＰＥＧ方式によって圧縮した画像の画像データサイズが２６．２ＫＢであって、上述したように４分割した後にＪＰＥＧ方式によって圧縮した４つの画像データのデータサイズが合計２４．８ＫＢである。
【００５５】
このほぼ同等のデータサイズで画像を比較すると、本発明の効果が明らかとなる。すなわち、第１の効果として、階調ヒストグラムの変化が小さくなる事である。例えば、図１２に示すように、３２分割で表示したＧ（緑）画素のヒストグラム（Ｒ（赤）画素、Ｂ（青）画素でも同様）を示した。
【００５６】
原画を直接ＪＰＥＧ方式で圧縮した場合と、４つの４分の１画像データに分割した後にＪＰＥＧ方式によって圧縮した場合との圧縮後の画像の階調ヒストグラムを比較すると、原画を直接ＪＰＥＧ方式によって圧縮した場合は、最暗階調部（階調を３２分割した時の０〜１間）の頻度が３８．７％から１４．４％に大きく減ってしまっている。また、最明階調（階調を３２分割した時の３０〜３１間）も７．０％から１．３％に大きく減少している。
【００５７】
これに対して、４つの４分の１画像データに分割してからＪＰＥＧ方式によって分割した場合は、最暗階調部の頻度は３８．７％から３０．７％、最明階調部は７．０％から５．３％へと減ってはいるものの、原画を直接ＪＰＥＧ方式によって圧縮した場合と比較すると、その減少度合いが少なくなっており、視野角の改善効果は保たれる。
【００５８】
すなわち、画像を４画素で構成される画素群に分割して強度値を割り付けている目的が、低暗階調部と高明階調部を使う事であり、圧縮により、この部分の階調頻度が大きく減ってしまっては、本来の視野角を補償する効果が減少することになる。したがって、従来の直接ＪＰＥＧによって圧縮する方法では、画質の劣化が大きく、本実施形態に係る画像処理方法では画質の劣化が少なくなる。
【００５９】
第２の効果としては、明るさの変化が小さい事である。
【００６０】
すなわち、従来の圧縮後の画像と本実施形態に係る画像処理方法による圧縮後の画像との明るさを比較すると、分割しない従来の方法でＪＰＥＧ方式によって変換した場合には、明るさが暗くなってしまう。
【００６１】
例えば、階調としてＳＲＧＢの階調を前提にＧ（緑）画素の画面全体の平均輝度を計算すると、図１３に示すように、最明の時に１として、原画が約０．００５２であるのに対して、分割せずにＪＰＥＧ方式によって圧縮した後の画像では約０．００３７と、原画の明るさに対して約３０％も暗くなってしまう。
【００６２】
これに対し、本実施形態に係る画像処理方法のように、分割してからＪＰＥＧ方式によって圧縮する場合には、Ｇ（緑）画素の画面全体の平均輝度が約０．００５１であって、原画の明るさに対する変化は約３％であり、ほとんど変化しない。
【００６３】
これは、ＪＰＥＧ方式の圧縮において、階調と明るさの非線形性が充分考慮されていないため、不連続な明るさの変化がある部分では、明るさの計算誤差が大きくなる事による。すなわち、本実施形態に係る画像処理方法によれば、分割した後の画像の明るさの変化は連続的になるため、ＪＰＥＧ方式によって圧縮しても明るさの誤差増加は抑制される。
【００６４】
したがって、本実施形態に係る画像処理方法によれば、視野角が広くする画像を効率良く格納できる手段が得られた。これを携帯電話等の装置に適用する事で、低コストの高画質表示が実現できる。
【００６５】
すなわち、本実施形態に係る画像処理方法によれば、複数画素群で階調を表現した場合に、画質および視野角の改善効果が劣化することを抑制するとともに、データ容量を小さくする画像圧縮方法を提供することができる。
【００６６】
なお、この発明は、上記実施形態そのままに限定されるものではなく、実施段階ではその要旨を逸脱しない範囲で構成要素を変形して具体化できる。
【００６７】
例えば、上記の実施形態に係る表示装置のように、処理フローを効率的に実行するためには、専用のハードウェアロッジック回路として実現する事が望ましいが、汎用のＣＰＵとメモリとソフトウェアを組み合わせて実現してもよい。
【００６８】
また、上記の実施形態のように、同じ変換テーブルにより変換された画素データの画像に分割してから処理する方法は、ＪＰＥＧ方式による画像圧縮手段に限定するものではない。他の画像圧縮方式においても上述の実施形態と同様の効果を得ることができ、有効である。
【００６９】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００７０】
例えば、上記の実施形態では、ＪＰＥＧ方式による画像圧縮を行っているが、これに加えて他の画像処理手段、たとえば図１４に示すようにシャープネス（輪郭強調）等の処理を行っても良い。その場合であっても、上述の実施形態に係る画像処理方法、画像処理装置、およびそれを備える表示装置と同様の効果が得られるとともに、復元画像の画質をさらに向上させる事ができる。
【図面の簡単な説明】
【００７１】
【図１】本発明一実施形態に係る画像処理装置、およびその画像処理装置を備えた表示装置の全体構成例を概略的に示す図。
【図２】図１に示す画像処理装置において、階調値を強度値に変換するテーブルの一例を説明するための図。
【図３】図１に示す画像処理装置において、階調値から変換された強度値の一例について説明するための図。
【図４】図１に示す画像処理装置において、強度値から算出された平均値の一例について説明するための図。
【図５】図１に示す画像処理装置における多画素化変換テーブルの一例について説明するための図。
【図６】図１に示す画像処理装置における割付テーブルの一例について説明するための図。
【図７】図１に示す画像処理装置において、圧縮前に画像ソースを４分の１画像データに分割する手段の一例について説明するための図。
【図８】図１に示す画像処理装置において、圧縮画像を復元する手段の一例について説明するための図。
【図９】本発明の一実施形態に係る画像処置方法の一例について説明するための図。
【図１０】本発明の一実施形態に係る画像処理方法の一例についてさらに説明するための図。
【図１１】本発明の一実施形態に係る画像処理方法、画像処理装置、およびそれを備えた表示装置によって処理された画像の一例を示す図。
【図１２】本発明の一実施形態に係る画像処理方法、画像処理装置、およびそれを備えた表示装置の効果の一例について説明するための図。
【図１３】本発明の一実施形態に係る画像処理方法、画像処理装置、およびそれを備えた表示装置によって処理された画像と、従来の画像との平均輝度の一例を示す図。
【図１４】本発系の本発明の一実施形態に係る画像処理方法、画像処理装置、およびそれを備えた表示装置による処理と、他の画像処理を組み合せた場合の効果の一例について説明するための図。
【符号の説明】
【００７２】
ＩＰ…画像処理装置、ＰＸ…表示画素、ＴＢ…割付テーブル、ＨＤＤ…ハードディスクドライブ、１…表示装置、１０１…画像ソースを生成する手段、１０１Ａ…画像変換部、１０２…分割手段、１０３…圧縮/復元手段、１０３Ａ…ＪＰＥＧ圧縮手段、１０３Ｂ…ＪＰＥＧ復元手段、１０４…画像データ伸展手段
【図１】
2008092140.tif 000003
【図２】
2008092140.tif 000004
【図３】
2008092140.tif 000005
【図４】
2008092140.tif 000006
【図５】
2008092140.tif 000007
【図６】
2008092140.tif 000008
【図７】
2008092140.tif 000009
【図８】
2008092140.tif 000010
【図９】
2008092140.tif 000011
【図１０】
2008092140.tif 000012
【図１１】
2008092140.tif 000013
【図１２】
2008092140.tif 000014
【図１３】
2008092140.tif 000015
【図１４】
2008092140.tif 000016